(57)【要約】【課題】  弦の張力によるベース部材の曲がり変形を軽減して、演奏中に楽音に効果を良好に付加することができる弦楽器を提供する。【解決手段】  表裏両面側に弦４が張られたベース部材３と、このベース部材３に張られた弦４のうち、演奏操作をする表面側の弦４と反対側に位置する裏面側の弦４の張力を変化させる弦張制御部材２１とを備えている。従って、ベース部材３の表裏両面側に張られた弦４によって、そのベース部材３に対する弦４の張力による曲げモーメントを相殺することができ、これにより弦４の張力によるベース部材３の曲がり変形を軽減することができると共に、演奏中に弦張制御部材２１を操作することにより、楽音の音高を変化させて楽音に効果を良好に付加することができる。【選択図】        図２
2012168236.tif 000002
【特許請求の範囲】
【請求項１】
表裏両面側に弦が張られたベース部材と、
このベース部材に張られた前記弦のうち、演奏操作をする表面側の弦と反対側に位置する裏面側の弦の張力を変化させる弦張制御部材と
を備えていることを特徴とする弦楽器。
【請求項２】
請求項１に記載の弦楽器において、前記弦張制御部材は、前記ベース部材に回転可能に取り付けられて前記弦を保持する回転体と、この回転体を回転操作する操作部とを備えていることを特徴とする弦楽器。
【請求項３】
請求項２に記載の弦楽器において、前記回転体は、前記ベース部材の前記裏面側に張られた前記弦が摺動可能に挿入する弦挿入溝を有し、前記弦が張り渡された箇所における前記ベース部材の前記裏面に対して平行に回転することを特徴とする弦楽器。
【請求項４】
請求項１〜請求項３のいずれかに記載の弦楽器において、前記弦は、前記ベース部材の表裏両面側に連続して張られていることを特徴とする弦楽器。
【請求項５】
請求項１〜請求項３のいずれかに記載の弦楽器において、前記弦は、前記ベース部材の表裏両面側にそれぞれ独立して張られていることを特徴とする弦楽器。
【発明の詳細な説明】
【技術分野】
【０００１】
この発明は、ギターやバイオリン、三味線などの弦楽器に関する。
【背景技術】
【０００２】
従来、ギターなどの弦楽器においては、特許文献１に記載されているように、楽器ケースに設けられたネックと称する棹状部材の表面側に弦を張り、この弦を爪弾いて振動させることにより、演奏するように構成されている。このような弦楽器では、演奏中に音高を高くしたり低くしたりして、楽音に効果を付加するベンディング演奏をするために、棹状部材に弦の張力を変化させるためのトレモロなどの弦張制御部材が設けられている。
【先行技術文献】
【特許文献】
【０００３】
【特許文献１】特開２００４−３６１９７５号公報
【発明の概要】
【発明が解決しようとする課題】
【０００４】
しかしながら、このような従来の弦楽器では、弦が棹状部材の表面側のみに張られているため、弦の張力による曲げモーメントによって棹状部材がその長手方向に曲がり変形する。このため、棹状部材の剛性を高くして、弦の張力による棹状部材の曲がり変形を防ぐ必要があり、棹状部材の構造が複雑になるばかり、剛性の高い材料を使用する必要があるため、製作コストが高くなるという問題がある。
【０００５】
また、このような従来の弦楽器では、演奏中に音高を高くしたり低くしたりして、楽音に効果を付加するベンディング演奏をする際に、棹状部材に設けられたトレモロなどの弦張制御部材を操作することにより、棹状部材の表面側のみに張られた弦の張力を変化させているため、その弦の張力変化に伴う曲げモーメントによっても、棹状部材が曲がり変形しないように、棹状部材の剛性を更に高くする必要があり、このため、より一層、製作コストが高くなるという問題が生じる。
【０００６】
この発明が解決しようとする課題は、弦の張力による棹状部材などのベース部材の曲がり変形を軽減することができると共に、演奏中に楽音に効果を良好に付加することができる弦楽器を提供することである。
【課題を解決するための手段】
【０００７】
この発明は、表裏両面側に弦が張られたベース部材と、このベース部材に張られた前記弦のうち、演奏操作をする表面側の弦と反対側に位置する裏面側の弦の張力を変化させる弦張制御部材とを備えていることを特徴とする弦楽器である。
【発明の効果】
【０００８】
この発明によれば、ベース部材の表裏両面側に張られた弦によって、そのベース部材に対する弦の張力による曲げモーメントを相殺することができ、これにより弦の張力によるベース部材の曲がり変形を軽減することができる。このため、演奏中に弦張制御部材を操作することにより、弦の張力を変化させて楽音に効果を良好に付加することができる。
【図面の簡単な説明】
【０００９】
【図１】この発明を適用した弦楽器の実施形態１を示した正面図である。
【図２】図１に示された弦楽器のＡ−Ａ矢視における断面図である。
【図３】図２に示された弦楽器の各断面を示し、（ａ）はそのＢ−Ｂ矢視における拡大断面図、（ｂ）はそのＣ−Ｃ矢視における拡大断面図である。
【図４】図１に示された弦楽器の弦モジュールを示した正面図である。
【図５】図２に示された弦楽器の弦モジュールを示した断面図である。
【図６】図５に示された弦モジュールの弦引張装置を示した要部の拡大斜視図である。
【図７】図１に示された弦楽器において楽器ケースの一部を破断して弦張制御部材を下面側から見た状態を示した要部の拡大裏面図である。
【図８】図７に示された弦楽器の弦張制御部材のＤ−Ｄ矢視における拡大断面図である。
【図９】図７に示された弦張制御部材の操作部が操作されて回転体が反時計回りに回転した状態を示した拡大裏面図である。
【図１０】図９に示された弦張制御部材の操作部が反対側に操作されて回転体が時計回りに回転した状態を示した拡大裏面図である。
【図１１】この発明を適用した弦楽器の実施形態２における弦モジュールを示した正面図である。
【図１２】図１１に示された弦モジュールのＥ−Ｅ矢視における断面図である。
【発明を実施するための形態】
【００１０】
（実施形態１）
以下、図１〜図１０を参照して、この発明を適用した弦楽器の実施形態１について説明する。
この弦楽器は、図１〜図３に示すように、楽器ケース１と、この楽器ケース１に組み付けられる弦モジュール２とを備えている。楽器ケース１は、上面が開放されたほぼ半筒状で、一端部側（図１では左端部側）の幅（長手方向と直交する方向の長さ）が短く、他端部側（図１では右端部側）に向かうに従ってその幅が徐々に長くなるように形成されている。
【００１１】
弦モジュール２は、図１および図２に示すように、ベース部材３と、このベース部材の表裏両面側（図２では上下両面側）に張り渡された複数の弦４と、この複数の弦４の引張力をそれぞれ調整する複数の弦引張調整装置５とを備えている。ベース部材３は、ステンレスなどの金属やセラミックなどの耐摩耗性および耐圧縮性に強い材料からなり、全体がほぼ帯板状に形成されている。
【００１２】
すなわち、このベース部材３は、図１および図２に示すように、その一端部側（図２では左端部側）の幅（長手方向と直交する方向の長さ）が短く、他端部側（図２では右端部側）に向かうに従ってその幅が徐々に長くなるように形成され、楽器ケース１内の上部に配置されるように構成されている。
【００１３】
また、このベース部材３は、図４および図５に示すように、その一端部（図４では左端部）に上下に突出して設けられた第１弦支持部６、７と、他端部側付近（図４では右端部側付近）に上下に突出して設けられた第２弦支持部８、９と、この第２弦支持部８、９の更に他端部側（図４では右端部側）に設けられた調整装置取付部１０とを備え、第１、第２の各弦支持部６〜９によって複数の弦４がベース部材３の表裏両面側（図５では上下両面側）に張り渡されるように構成されている。
【００１４】
すなわち、第１弦支持部６、７のうち、表面側の第１弦支持部６は、図５に示すように、ベース部材３の一端部から上方に向けて突出して形成されており、裏面側の第１弦支持部７は、ベース部材３の一端部から下方に向けて表面側の第１弦支持部６とほぼ同じ高さで突出して形成されている。また、第２弦支持部８、９のうち、表面側の第２弦支持部８は、ベース部材３の他端部側付近から上方に向けて突出して形成されており、裏面側の第２弦支持部９は、ベース部材３の他端部付近から下方に向けて表面側の第２弦支持部８とほぼ同じ高さで突出して形成されている。
【００１５】
この場合、第１、第２の各弦支持部６〜９の各先端部（図５では各上下端部）は、それぞれ平坦に形成されていても良いが、図３（ｂ）に示すように、弦４が張り渡される方向と直交する方向、つまり複数の弦４の配列方向における各弦４の位置をそれぞれ規制するための位置規制溝６ａ、７ａが複数の弦４にそれぞれ対応して設けられていても良い。この位置規制溝６ａ、７ａは、弦４の直径よりも浅く形成されていることが望ましい。
【００１６】
また、第１弦支持部６、７が位置するベース部材３の一端部には、図４および図５に示すように、弦押え部材１１が設けられている。この弦押え部材１１は、押え板１１ａと、２本のビス１１ｂとからなり、この２本のビス１１ｂをベース部材３の一端部にねじ込んで押え板１１ａをベース部材３に向けて押え付けることにより、この押え板１１ａで複数の弦４を押え付けるように構成されている。
【００１７】
また、ベース部材３の表裏両面（図５では上下両面）には、図４および図５に示すように、指板部１２、１３がそれぞれ設けられている。この指板部１２、１３は、ベース部材３の長手方向における中間部から第１弦支持部６、７に亘って設けられている。この指板部１２、１３には、それぞれ複数のフレット１２ａ、１３ａがベース部材３の長手方向に沿って所定間隔で設けられている。この複数のフレット１２ａ、１３ａは、その高さが第１、第２の各弦支持部６〜７の高さよりも低く形成されている。
【００１８】
さらに、ベース部材３の調整装置取付部１０は、図４および図５に示すように、ベース部材３の第２弦支持部８、９に隣接する他端部（図４では右端部）に設けられた枠状の部分であり、複数の弦引張調整装置５が複数の弦４の配列方向に沿って配置される開口部１０ａと、この開口部１０ａの他端部（図４では右端部）に位置して複数の弦引張調整装置５がベース部材３の長手方向に沿ってそれぞれ移動可能に取り付けられる取付梁部１０ｂとを備えている。
【００１９】
一方、複数の弦４は、図４および図５に示すように、第１弦支持部６、７でそれぞれ折り返されて第１、第２の各弦支持部６〜９にそれぞれ支持されることにより、ベース部材３の表裏両面側（図５では上下両面側）に連続して張り渡されるように構成されている。この場合、複数の弦４は、第１弦支持部６、７で折り返された部分が弦押え部材１１の押え板１１ａによってベース部材３の一端部に押し付けられることにより、演奏時に弦４の折り返し部分がその張り渡し方向に位置ずれしないように構成されている。
【００２０】
この複数の弦４は、図５に示すように、その各両端部がそれぞれ複数の弦引張装置５に取り付けられている。この弦引張装置５は、図４および図５に示すように、弦４の両端部が取り付けられる弦取付駒１４と、この弦取付駒１４をベース部材３の長手方向に沿って移動させるための弦調整部材１５とを備えている。
【００２１】
弦取付駒１４は、図６に示すように、ほぼ長方形の角棒状に形成され、弦４の一端部に設けられたボールエンドである固定部４ａを係止するための弦係止孔１４ａと、弦４の他端部を固定する弦固定ビス１４ｂとを備えていている。この弦取付駒１４は、図４〜図６に示すように、ベース部材３の調整装置取付部１０の開口部１０ａ内に配置された状態で、弦４を弦係止孔１４ａに挿入させて、弦４の一端部のボールエンドである固定部４ａを弦係止孔１４ａに係止させるように構成されている。
【００２２】
また、この弦取付駒１４は、図４〜図６に示すように、弦４の一端部のボールエンドである固定部４ａが弦係止孔１４ａに係止された状態で、弦４が第１、第２の各弦支持部６〜９上に張り渡され、この張り渡された弦４の他端部が弦固定ビス１４ｂによって固定されることにより、弦４をベース部材３の表裏両面側に連続させた状態で張り渡すように構成されている。
【００２３】
また、弦引張装置５の弦調整部材１５は、図４〜図６に示すように、弦取付駒１４の端部に一端部が取り付けられたねじ軸１５ａと、このねじ軸１５ａに螺合する２つのナット１５ｂとを備えている。ねじ軸１５ａは、弦取付駒１４を挟んで第２弦支持部８、９と反対側に位置する端部が、ベース部材３の他端部（図５では右端部）に設けられた張調整装置取付部１０の取付梁部１０ｂに設けられた貫通孔１０ｃ内に、ベース部材３の長手方向に沿って移動可能に挿入されるように構成されている。
【００２４】
この場合、ねじ軸１５ａは、図４および図５に示すように、その軸中心が複数の弦４の各延長上で、且つ複数の弦４にそれぞれ対応する箇所のベース部材３における上下方向の厚みの中間点をベース部材３の長手方向に沿って通るベース部材３の各中心線Ｍの延長上に位置し、この中心線Ｍの延長線上に沿って移動するように構成されている。
【００２５】
また、２つのナット１５ｂは、図４〜図６に示すように、張調整装置取付部１０の取付梁部１０ｂにおける弦取付駒１４側に位置する内側と弦取付駒１４の反対側に位置する外側との両側にそれぞれ位置した状態で、ねじ軸１５ａに螺合して取付梁部１０ｂを挟み付けることにより、弦取付駒１４を張調整装置取付部１０の開口部１０ａ内に固定するように構成されている。
【００２６】
すなわち、この弦調整部材１５は、予め１つのナット１５ｂをねじ軸１５ａに螺合させ、この状態でねじ軸１５ａを張調整装置取付部１０の取付梁部１０ｂの貫通孔１０ｃに挿入させ、この挿入したねじ軸１５ａに取付梁部１０ｂの外側から他のナット１５ｂを螺合させて締め付けることにより、弦取付駒１４を第２弦支持部８、９から離れる方向に移動させて弦４を引っ張るように構成されている。
【００２７】
また、この弦調整部材１５は、取付梁部１０ｂの外側に位置するナット１５ｂを締め付けて、弦４を所定の張力で第１、第２の各弦支持部６〜９上に張り渡した状態で、取付梁部１０ｂの内側に位置するナット１５ｂを締め付けて、２つのナット１５ｂで取付梁部１０ｂを挟み付けることにより、弦取付駒１４を張調整装置取付部１０の開口部１０ａ内に固定し、弦４の張力を一定に保つように構成されている。
【００２８】
これにより、弦引張装置５は、弦取付駒１４が張調整装置取付部１０の開口部１０ａ内に固定され、弦４の張力が一定に保たれた状態で、張調整装置取付部１０の取付梁部１０ｂの外側に位置するナット１５ｂを緩めると、ねじ軸１５ａおよび弦取付駒１４が第２弦支持部８、９側に向けて移動し、弦４の張力が緩んで低下し、逆に外側に位置するナット１５ｂを締め付けると、ねじ軸１５ａおよび弦取付駒１４が第２弦支持部８、９から離れる方向に移動し、弦４の張力が高くなることにより、弦４の張力を調整する所謂チューニングを行うように構成されている。
【００２９】
ここで、弦４の張力によりベース部材３に加わる曲げモーメントについて説明する。
このベース部材３は、その一端部に第１弦支持部６、７が表裏（図５では上下）にほぼ同じ高さで突出して設けられ、他端部側に第２弦支持部８、９が表裏にほぼ同じ高さで突出して設けられ、表面側（図５では上面側）の第１、第２の各弦支持部６、８の各先端間および裏面側（図５では下面側）の第１、第２の各弦支持部７、９の各先端間に弦４が張り渡されていることにより、弦４の張力によってベース部材３に加わる曲げモーメントが相殺され、弦４の張力による圧縮力のみがベース部材３に加わっている。
【００３０】
この場合、弦４は、第１弦支持部６、７で折り返されて、その両端部が第２弦支持部８、９側に位置することにより、第１、第２の各弦支持部６〜９に連続して張り渡され、この状態で弦４の両端部が弦引張装置５によって引っ張られることにより、表面側の第１、第２の各弦支持部６、８の各先端間および裏面側の第１、第２の各弦支持部７、９の各先端間に張り渡されている弦４の張力が同じになり、これによっても弦４の張力によってベース部材３に加わる曲げモーメントが相殺されている。
【００３１】
また、弦４の張力を調整する弦引張装置５は、弦４の両端部が取り付けられる弦取付駒１４を弦４の張り渡し方向に沿って移動させるための弦調整部材１５のねじ軸１５ａが、複数の弦４の各延長上で、且つ複数の弦４にそれぞれ対応する箇所のベース部材３における上下方向の厚みの中間点をベース部材３の長手方向に沿って通るベース部材３の各中心線Ｍの延長上に位置し、この中心線Ｍの延長線上に沿って移動することにより、ベース部材３に加わる曲げモーメントによるベース部材３の曲がり変形が阻止されている。
【００３２】
そして、このような弦モジュール２は、図１および図２に示すように、そのベース部材３が楽器ケース１内にビス止めされている。すなわち、楽器ケース１の底部には、図２に示すように、複数の取付ボス１６が楽器ケース１の下側に開放された状態で、楽器ケース１の長手方向に沿って設けられている。弦モジュール２は、複数の弦４がそれぞれ張り渡されたベース部材３が楽器ケース１の複数の取付ボス１６上に配置され、この状態で楽器ケース１の下側から各取付ボス１６に挿入されたビス１７がベース部材３にねじ込まれることにより、楽器ケース１内に取り付けられている。
【００３３】
これにより、この弦モジュール２は、図１および図２に示すように、ベース部材３の表面側に位置する弦４が楽器ケース１の上面側に突出して露出し、ベース部材３における第１弦支持部６、７が位置する一端部が楽器ケース１の先端面で覆われ、ベース部材３の他端部に位置する調整装置取付部１０および弦引張調整装置５が楽器ケース１の上面側およびその他端部側に露出し、この状態で楽器ケース１に取り付けられている。このため、この弦楽器は、楽器ケース１に弦モジュール２が取り付けられた状態で、弦引張調整装置５によって弦４の張力が調整できるように構成されている。
【００３４】
また、楽器ケース１には、図１および図２に示すように、弦モジュール２における複数の弦４の振動を検出するための弦振動検出ユニット１８が、ベース部材３の第２弦支持部８、９に隣接する箇所に位置する複数の弦４の下側を横切った状態で、ビス１８ａによって取り付けられている。この弦振動検出ユニット１８は、ベース部材３に張り渡された複数の弦４の振動をそれぞれ検出する複数のピックアップ２０を備えている。
【００３５】
この複数のピックアップ２０は、弦４の振動を磁力によって検出する磁気センサーや、弦４の振動を光学的に検出する光センサーなどであり、複数の弦４にそれぞれ対応して配置されている。また、弦振動検出ユニット１８は、外部接続端子１９を備え、この外部接続端子１９に接続ケーブル１９ａを介して外部スピーカユニット（図示せず）と電気的に接続され、各ピックアップ２０で検出された電気信号に基づいて外部スピーカユニットで各弦４の振動に応じた楽音を放音させるように構成されている。
【００３６】
ところで、この楽器ケース１に組み込まれた弦モジュール２には、図２に示すように、ベース部材３の裏面側（図２では下面側）に位置する複数の弦４の各張力を変化させるための弦張制御部材２１が設けられている。この弦張制御部材２１は、図７および図８に示すように、ベース部材３の裏面に回転可能に取り付けられて複数の弦４をそれぞれ摺動可能に保持する回転体２２と、この回転体２２を回転操作するための操作部２３とを備えている。
【００３７】
回転体２２は、図２に示すように、ベース部材３の裏面側（図２では下面側）における弦振動検出ユニット１８と指板部１３との間に位置する箇所にねじ軸２４によって回転可能に取り付けられ、ベース部材３の裏面と平行に回転するように構成されている。この場合、ベース部材３には、図８に示すように、ねじ軸２４が螺着するねじ孔３ａがベース部材３の表裏面（図８では上下面）に貫通して形成されている。また、この回転体２２の下面には、図７および図８に示すように、ベース部材３の裏面側に張られた複数の弦４がそれぞれ摺動可能に挿入する弦挿入溝２２ａが、各弦４と平行な状態でそれぞれ設けられている。
【００３８】
操作部２３は、図７および図８に示すように、その一端部が回転体２２の側面に設けられ、他端部が楽器ケース１の側面部に設けられた切欠き部１ｂを通して楽器ケース１の外部に突出し、この突出した部分を操作することにより、回転体２２を回転させるように構成されている。この場合、楽器ケース１から外部に突出した操作部２３の先端は、図７に示すように、２つの押圧部２３ａ、２３ｂが二股に分かれて設けられ、これにより全体がほぼＹ字形状に形成されている。
【００３９】
これにより、弦張制御部材２１は、図７および図８に示すように、回転体２２の複数の弦挿入溝２２ａ内にそれぞれ各弦４が挿入した状態で、楽器ケース１から外部に突出した操作部２３における２つの押圧部２３ａ、２３ｂのうち、一方の押圧部２３ａが楽器ケース１の側面に向けて押圧されると、図９に示すように、回転体２２が反時計回りに回転して、複数の弦４をそれぞれ屈曲させ、各弦４の張力をそれぞれ変化させるように構成されている。
【００４０】
また、この弦張制御部材２１は、図７および図８に示すように、楽器ケース１から外部に突出した操作部２３における２つの押圧部２３ａ、２３ｂのうち、他方の押圧部２３ｂが楽器ケース１の側面に向けて押圧されると、図１０に示すように、回転体２２が時計回りに回転して、複数の弦４をそれぞれ屈曲させ、各弦４の張力をそれぞれ変化させるように構成されている。
【００４１】
次に、このような弦楽器で演奏する場合について説明する。
このときには、まず、複数の弦引張装置５によって各弦４の張力をそれぞれ調整する。すなわち、弦引張装置５の弦取付駒１４側に位置する内側のナット１５ｂを緩め、ベース部材３における調整装置取付部１０の取付梁部１０ｂの外側に位置するナット１５ｂを締め付けるか、緩めるかして、弦４の張力を調整し、弦４のチューニングを行う。
【００４２】
このとき、ベース部材３の裏面（図２では下面）に取り付けられた弦張制御部材２１は、ニュートラル状態（中立状態）になる。すなわち、弦張制御部材２１は、その回転体２２に設けられた複数の弦挿入溝２２ａ内にそれぞれ各弦４が挿入されているので、各弦４の張力によって各弦挿入溝２２ａが各弦４の張り渡し方向と平行になるように、回転体２２がねじ軸２４を中心に回転する。これにより、弦張制御部材２１は、ニュートラル状態（中立状態）になる。
【００４３】
この状態で、演奏者が楽器ケース１を抱えて演奏する際には、一方の手（例えば左手）で指板部１２、１３に対応する楽器ケース１の箇所を持って、楽器ケース１から露出した指板部１２のいずれのフレット１２ａに各弦４のいずれかを押えながら、他方の手（例えば右手）で楽器ケース１から露出した複数の弦４を爪弾く。これにより、各弦４が振動し、その弦４の振動が弦振動検出ユニット１８の各ピックアップ２０によって検出され、この検出された信号に基づいてスピーカユニット（図示せず）で楽音が放音される。
【００４４】
このとき、楽音の音高を変化させて楽音に効果を付加するベンディング演奏をする場合には、楽器ケース１の外部に突出した弦張制御部材２１の操作部２３における二股に分かれた２つの押圧部２３ａ、２３ｂを演奏者の太腿や脇腹などの身体の一部に押し当て、この状態で身体を揺するなどして操作部２３を操作し、弦張制御部材２１の回転体２２を回転させる。すると、回転体２２の弦挿入溝２２ａによって複数の弦４が屈曲して、各弦４の張力が変化する。これにより、楽音の音高を変化させて楽音に効果を付加することができる。
【００４５】
例えば、楽器ケース１から外部に突出した操作部２３における２つの押圧部２３ａ、２３ｂのうち、一方の押圧部２３ａが楽器ケース１の側面に向けて押圧されると、図９に示すように、回転体２２が反時計回りに回転して、複数の弦４をそれぞれ屈曲させ、各弦４の張力をそれぞれ変化させる。これにより、楽音の音高を変化させて楽音に効果を付加することができる。
【００４６】
また、楽器ケース１から外部に突出した操作部２３における２つの押圧部２３ａ、２３ｂのうち、他方の押圧部２３ｂが楽器ケース１の側面に向けて押圧されると、図１０に示すように、回転体２２が時計回りに回転して、複数の弦４をそれぞれ屈曲させ、各弦４の張力をそれぞれ変化させる。これにより、楽音の音高を変化させて楽音に効果を付加することができる。
【００４７】
これにより、この弦楽器では、一方の手（例えば左手）で指板部１２、１３に対応する楽器ケース１の箇所を持って、楽器ケース１から露出した指板部１２のいずれのフレット１２ａに各弦４のいずれかを押えながら、他方の手（例えば右手）で楽器ケース１から露出した複数の弦４を爪弾いて演奏をしている状態で、いずれの手も使わずに、弦張制御部材２１の操作部２３を演奏者の太腿や脇腹などの身体の一部で操作して、楽音の音高を変化させて楽音に効果を付加することができる。
【００４８】
ところで、この弦楽器においては、ベース部材３の表裏両面側に張り渡された複数の弦４を表裏反転させて使用することができる。このときには、楽器ケース１から弦モジュール２を取り外し、この取り外した弦モジュール２のベース部材３の裏面（図５では下面）に取り付けられた弦張制御部材２１を取り外し、この取り外した弦張制御部材２１をベース部材３の表面（図５では上面）に取り付ける。
【００４９】
すなわち、弦張制御部材２１のねじ軸２４を緩めて回転体２２をねじ軸２４と共にベース部材３の下面から取り外し、この取り外した回転体２２をベース部材３の上面とこの上面に対面する複数の弦４との間に挿入させて、回転体２２に設けられた複数の弦挿入溝２２ａにベース部材３の表面側の各弦４を挿入させ、この状態でねじ軸２４をベース部材３のねじ孔３ａ（図８参照）に上方から螺入させて、回転体２２をねじ軸２４によってベース部材３の上面に回転可能に取り付ける。
【００５０】
このように弦張制御部材２１が取り付けられた弦モジュール２を上下反転させて楽器ケース１に組み付けることにより、簡単にベース部材３の表裏両面側に張り渡された複数の弦４を表裏反転させることができる。このように弦モジュール２を表裏反転させても、良好に演奏することができると共に、演奏中に弦張制御部材２１の操作部２３を演奏者の太腿や脇腹などの身体の一部で操作して、楽音の音高を変化させて楽音に効果を付加することができる。
【００５１】
このように、この弦楽器によれば、表裏両面側に弦４が張られたベース部材３と、このベース部材３に張られた弦４のうち、演奏操作をする表面側の弦４と反対側に位置する裏面側の弦４の張力を変化させる弦張制御部材２１とを備えているので、弦４の張力によるベース部材３の曲がり変形を軽減することができると共に、演奏中に弦張制御部材２１を操作することにより、楽音の音高を変化させて楽音に効果を良好に付加することができ、これにより良好にベンディング演奏をすることができる。
【００５２】
すなわち、この弦楽器では、ベース部材３の表裏両面側に張られた弦４によって、ベース部材３に対する弦４の張力による曲げモーメントを相殺することができ、これにより弦４の張力によるベース部材３の曲がり変形を軽減することができるので、良好に演奏することができると共に、演奏中に弦張制御部材２１を操作することにより、弦４の張力を変化させて楽音に効果を良好に付加することができ、これにより良好にベンディング演奏をすることができる。
【００５３】
この場合、弦張制御部材２１は、ベース部材３に回転可能に取り付けられて弦４を保持する回転体２２と、この回転体２２を回転操作するための操作部２３とを備えていることにより、操作部２３を操作するだけで、回転体２２を回転させることができ、この回転体２２の回転に応じて弦４を屈曲させることができるので、弦４の張力を簡単に変化させて、音高を良好に変化させることができ、これにより楽音に効果を付加することができる。
【００５４】
また、回転体２２は、ベース部材３の裏面側に張られた弦４が摺動可能に挿入する弦挿入溝２２ａを有し、弦４が張り渡された箇所におけるベース部材３の裏面側に対して平行に回転する構成であるから、回転体２２が操作部２３の操作によって回転すると、この回転体２２の回転に応じて弦挿入溝２２ａを弦４が張り渡し方向と交差する方向に回転させることができ、この弦挿入溝２２ａの回転に応じて弦４を確実に屈曲させることができるので、弦４の張力を簡単に且つ良好に変化させることができる。
【００５５】
さらに、この弦楽器では、弦４がベース部材３の表裏両面側に連続して張られていることにより、ベース部材３の表裏両面側に弦４を張り渡す際に、ベース部材３の表裏両面側において弦４の張力を均一にすることができる。このため、ベース部材３の表裏両面側にそれぞれ張られた弦４の張力によってベース部材３に生じる曲げモーメントを確実に相殺することができ、これにより弦４の張力によるベース部材３の曲がり変形を、より一層、軽減することができる。
【００５６】
（実施形態２）
次に、図１１および図１２を参照して、この発明を適用した弦楽器の実施形態２について説明する。なお、図１〜図１０に示された実施形態１と同一部分には同一符号を付して説明する。
この弦楽器は、図１１および図１２に示すように、弦モジュール２のベース部材３の表裏両面側にそれぞれ複数の弦３０を独立させて張り渡すと共に、ベース部材３の表裏両面にそれぞれ設けられた指板部３１、３２のうち、一方の指板部３１が実施形態１と異なる構成であり、これ以外は実施形態１とほぼ同じ構成になっている。
【００５７】
この場合、ベース部材３の第１弦支持部６、７側に位置する一端部（図１２では左端部）には、図１２に示すように、一対の弦係止部３３、３４が複数の弦３０にそれぞれ対応した状態で、上下に設けられている。また、複数の弦３０のうち、ベース部材３の表面側（図１２では上面側）に張り渡される各弦３０の一端部（図１２では左端部）には、係合部３０ａがそれぞれ設けられており、ベース部材３の裏面側（図１２では下面側）に張り渡される各弦３０の一端部（図１２では左端部）には、係合部３０ｂがそれぞれ設けられている。
【００５８】
これにより、ベース部材３の表面側（図１２では上面側）に張り渡される各弦３０は、図１２に示すように、その各一端部（図１２では左端部）の各係合部３０ａがベース部材３の一端部（図１２では左端部）における上側の各弦係止部３３にそれぞれ係止され、この状態でベース部材３の表面側に位置する第１、第２の各弦支持部６、８上に配置された後、その各他端部（図１２では右端部）が実施形態１と同様に各弦引張装置５の各弦取付駒１４に弦固定ビス１４ｂによってそれぞれ固定されることにより、ベース部材３の表面側（図１２では上面側）にそれぞれ張り渡されるように構成されている。
【００５９】
また、ベース部材３の裏面側（図１２では下面側）に張り渡される各弦３０は、図１２に示すように、その各一端部（図１２では左端部）の各係合部３０ａを各弦引張装置５の各弦取付駒１４の弦係止孔１４ａにそれぞれ挿入させて、各他端部（図１２では右端部）のボールエンドである各固定部４ａが各弦取付駒１４の各弦係止孔１４ａにそれぞれ係止され、この状態でベース部材３の裏面側に位置する第１、第２の各弦支持部７、９に配置された後、各一端部（図１２では左端部）の各係合部３０ｂがベース部材３の一端部（図１２では左端部）における下側の各弦係止部３４にそれぞれ係止されることにより、ベース部材３の裏面側（図１２では下面側）にそれぞれ張り渡されるように構成されている。
【００６０】
このように、ベース部材３の表裏両面側にそれぞれ独立して配置された複数の弦３０は、実施形態１と同様、各弦引張装置５の各ナット１５ｂを締め付けることにより、各弦取付駒１４を第２弦支持部８、９から離れる方向にそれぞれ移動させて、ベース部材３の表裏両面側の各弦３０を引っ張ることにより、図１２に示すように、各弦３０の張力が一定に保たれた状態で、ベース部材３の表裏両面側にそれぞれ張り渡されるように構成されている。
【００６１】
このため、この実施形態２の弦モジュール２においても、ベース部材３の表裏両面側に張り渡された複数の弦３０の張力が同じになり、この複数の弦３０の張力によってベース部材３に加わる曲げモーメントが相殺され、複数の弦３０の張力による圧縮力のみがベース部材３に加わるだけで、複数の弦３０の張力によるベース部材３の曲がり変形が阻止されるように構成されている。
【００６２】
一方、ベース部材３の表裏両面にそれぞれ設けられた指板部３１、３２は、実施形態１と同様、ベース部材３の長手方向における中間部から第１弦支持部６、７に亘って設けられている。この指板部３１、３２のうち、ベース部材３の裏面側（図１２では下面側）に位置する指板部３２には、実施形態１と同様、各弦３０に対応する複数のフレット３２ａが、ベース部材３の長手方向に沿って所定間隔で設けられている。この複数のフレット３２ａは、その高さが第１、第２の各弦支持部６〜７の高さよりも低く形成されている。
【００６３】
また、ベース部材３の表面側（図１２では上面側）に位置する指板部３１は、図１２に示すように、その上方に張り渡された複数の弦３０のうち、いずれかの弦３０に対応する箇所のみに複数のフレット３１ａがベース部材３の長手方向に沿って所定間隔で設けられているが、これ以外の弦３０に対応する箇所がフレット３１ａと同じ高さの平坦部３１ｂに形成されている。すなわち、この指板部３１は、複数のフレット３１ａが設けられている箇所と、フレット３１ａが設けられていない箇所とが、混在された構成になっている。
【００６４】
次に、このような弦楽器で演奏する場合について説明する。
この場合にも、まず、複数の弦引張装置５によって各弦３０の張力をそれぞれ調整する。すなわち、弦引張装置５の弦取付駒１４側に位置する内側のナット１５ｂを緩め、ベース部材３における調整装置取付部１０の取付梁部１０ｂの外側に位置するナット１５ｂを締め付けるか、緩めるかして、弦３０の張力を調整し、弦３０のチューニングを行う。
【００６５】
このときにも、ベース部材３の裏面（図１２では下面）に取り付けられた弦張制御部材２１は、その回転体２２に設けられた複数の弦挿入溝２２ａ内にそれぞれ各弦４が挿入されているので、実施形態１と同様、各弦３０の張力によって各弦挿入溝２２ａが各弦３０の張り渡し方向と平行になるように、回転体２２がねじ軸２４を中心に回転する。これにより、弦張制御部材２１は、ニュートラル状態（中立状態）になる。
【００６６】
この状態で、演奏者が楽器ケース１を抱えて演奏する際には、実施形態１と同様、一方の手（例えば左手）で指板部３１、３２に対応する楽器ケース１の箇所を持って、楽器ケース１から露出した指板部３１に各弦３０のいずれかを押えながら、他方の手（例えば右手）で楽器ケース１から露出した複数の弦３０を爪弾く。
【００６７】
この場合、楽器ケース１から露出した弦３０に対応するベース部材３の指板部３１は、複数のフレット３１ａが設けられている箇所と、フレット３１ａが設けられていない箇所とが、混在された構成であるから、演奏者がフレット３１ａのある箇所とフレット３１ａのない箇所とを使い分けて演奏する。このようにして、各弦３０が振動し、その弦３０の振動が弦振動検出ユニット１８の各ピックアップ２０によって検出され、この検出された信号に基づいてスピーカユニット（図示せず）で楽音が放音される。
【００６８】
また、このときに、楽音の音高を変化させて楽音に効果を付加するベンディング演奏をする場合には、実施形態１と同様、楽器ケース１の外部に突出した弦張制御部材２１の操作部２３における二股に分かれた２つの押圧部２３ａ、２３ｂを演奏者の太腿や脇腹などの身体の一部に押し当て、この状態で身体を揺するなどして操作部２３を操作し、弦張制御部材２１の回転体２２を回転させる。すると、回転体２２の弦挿入溝２２ａによって複数の弦３０が屈曲して、各弦３０の張力が変化する。これにより、楽音の音高を変化させて楽音に効果を付加することができる。
【００６９】
ところで、この弦楽器においても、実施形態１と同様、ベース部材３の表裏両面側に張り渡された複数の弦３０を表裏反転させて使用することができる。このときにも、楽器ケース１から弦モジュール２を取り外し、この取り外した弦モジュール２のベース部材３の裏面（図１２では下面）に取り付けられた弦張制御部材２１を取り外し、この取り外した弦張制御部材２１をベース部材３の表面（図１２では上面）に取り付ける。
【００７０】
このように弦張制御部材２１が取り付けられた弦モジュール２を上下反転させて楽器ケース１に組み付けることにより、簡単にベース部材３の表裏両面側に張り渡された複数の弦３０を表裏反転させることができる。このように弦モジュール２を表裏反転させた際には、ベース部材３の表裏面に設けられた指板部３１、３２が表裏反転し、各弦３０にそれぞれ対応する複数のフレット３２ａがベース部材３の長手方向に沿って所定間隔で設けられた通常の指板部３２が楽器ケース１の表面側に位置する。
【００７１】
このため、この実施形態２の弦モジュール２を上下反転させて楽器ケース１に組み付けた場合には、通常の指板部３２のいずれのフレット１２ａに各弦４のいずれかを押えながら、通常の演奏ができる。このように弦モジュール２を表裏反転させても、実施形態１と同様、良好に演奏することができると共に、演奏中に弦張制御部材２１の操作部２３を演奏者の太腿や脇腹などの身体の一部で操作して、楽音の音高を変化させて楽音に効果を付加することができる。
【００７２】
このように、この弦楽器によれば、実施形態１と同様の作用効果があるほか、複数の弦３０がベース部材３の表裏両面側にそれぞれ独立して張られていることにより、ベース部材３の表裏両面側にそれぞれ張られた各弦３０の張力によってベース部材３に生じる曲げモーメントを確実に相殺することができる。このため、実施形態１と同様、弦３０の張力によるベース部材３の曲がり変形を軽減することができると共に、ベース部材３の表裏両面側に張り渡された弦３０の張力を均一にすることができる。
【００７３】
また、この弦楽器によれば、ベース部材３の表裏面に設けられた指板部３１、３２が異なり、裏面側の指板部３２が各弦３０に対応する複数のフレット３２ａを有する通常の構成で、表面側の指板部３１が特定の弦３０に対応するフレット３１ａを有する箇所とフレットのない箇所とを、混在させた構成であるから、ベース部材３を表裏反転させることにより、演奏者の好みや演奏形態に応じて指板部３１、３２を選択することができ、これにより演奏の幅を広げることができる。
【００７４】
なお、上述した実施形態１、２では、弦張制御部材２１の回転体２２がねじ軸２４によってベース部材３に回転自在に取り付けられ、複数の弦４、３０の張力によってニュートラル状態（中立状態）になるように構成されている場合について述べたが、これに限らず、例えば回転体２２をばね部材などの付勢部材によって予め負荷を付与して所定角度だけ回転させた状態で設置し、ベンディング演奏をする際に、回転体２２を回転させて複数の弦４、３０の張力を下げることにより、音高を下げるように変化させて楽音に効果を付加するように構成しても良い。
【００７５】
また、上述した実施形態１、２では、ベース部材３の表裏両面側にそれぞれ６本ずつ弦４、３０を張り渡したギター形式の弦楽器に適用した場合について述べたが、これに限らず、弦４、３０を１本張り渡しただけでも良く、また３本張り渡しただけでも良く、更に６本以上張り渡しても良い。このため、この発明の弦楽器は、ギターに限らず、ウクレレ、マンドリン、バイオリン、チェロなどの弦楽器に適用することができるほか、三味線や琵琶、琴などの弦楽器などにも広く適用することができる。
【００７６】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７７】
（付記）
請求項１に記載の発明は、表裏両面側に弦が張られたベース部材と、このベース部材に張られた前記弦のうち、演奏操作をする表面側の弦と反対側に位置する裏面側の弦の張力を変化させる弦張制御部材とを備えていることを特徴とする弦楽器である。
【００７８】
請求項２に記載の発明は、請求項１に記載の弦楽器において、前記弦張制御部材は、前記ベース部材に回転可能に取り付けられて前記弦を保持する回転体と、この回転体を回転操作する操作部とを備えていることを特徴とする弦楽器である。
【００７９】
請求項３に記載の発明は、請求項２に記載の弦楽器において、前記回転体は、前記ベース部材の前記裏面側に張られた前記弦が摺動可能に挿入する弦挿入溝を有し、前記弦が張り渡された箇所における前記ベース部材の前記裏面に対して平行に回転することを特徴とする弦楽器である。
【００８０】
請求項４に記載の発明は、請求項１〜請求項３のいずれかに記載の弦楽器において、前記弦は、前記ベース部材の表裏両面側に連続して張られていることを特徴とする弦楽器である。
【００８１】
請求項５に記載の発明は、請求項１〜請求項３のいずれかに記載の弦楽器において、前記弦は、前記ベース部材の表裏両面側にそれぞれ独立して張られていることを特徴とする弦楽器である。
【符号の説明】
【００８２】
１  楽器ケース
２  弦モジュール
３  ベース部材
４、３０  弦
５  弦引張装置
６、７  第１弦支持部
８、９  第２弦支持部
１２、１３、３１、３２  指板部
１４  弦取付駒
１５  調整部材
１８  弦振動検出ユニット
２１  弦張制御部材
２２  回転体
２２ａ  弦挿入溝
２３  操作部
２４  ねじ軸
【図１】
2012168236.tif 000003
【図２】
2012168236.tif 000004
【図３】
2012168236.tif 000005
【図４】
2012168236.tif 000006
【図５】
2012168236.tif 000007
【図６】
2012168236.tif 000008
【図７】
2012168236.tif 000009
【図８】
2012168236.tif 000010
【図９】
2012168236.tif 000011
【図１０】
2012168236.tif 000012
【図１１】
2012168236.tif 000013
【図１２】
2012168236.tif 000014